(57)【特許請求の範囲】
【請求項１】
容器体の側面に前面板部及び両側面板部により形成されたコ状の嵌合溝部をもつ継合枠部を突設すると共に把手体に該嵌合溝部により形成される嵌合穴部に対して下方から挿脱可能な嵌合凸部を設けてなり、上記嵌合凸部の前端面を上記容器体の弧状の側面に合わせて弧状面に形成し、上記嵌合穴部を該容器体の側面と上記嵌合溝部とにより形成し、該嵌合凸部を該容器体の側面と上記嵌合溝部とにより形成される該嵌合穴部に対して下方から挿脱可能に設け、該容器体の側面と上記嵌合溝部とにより形成される該嵌合穴部を上に向かって次第に幅狭となるテーパー状穴に形成すると共に該嵌合凸部を上に向かって次第に幅狭となるブロック板状に形成して、上記嵌合穴部と上記嵌合凸部とを上方に向かって次第に幅狭となるテーパー嵌合可能に設け、上記継合枠部の前面板部に挿通穴を形成し、上記把手体に該挿通穴に挿脱可能な挿脱ピンを進退自在に設け、該挿脱ピンを該挿通穴に挿通させる圧縮バネを含む進退操作機構を設け、該進退操作機構として、上記把手体に上記挿脱ピンを進退摺動自在に突設し、該挿脱ピンと把手体との間に上記圧縮バネを介装し、該把手体に摺動長穴を形成し、該挿脱ピンに該摺動長穴内を摺動可能な案内ピンを植設し、該案内ピンに摘子体を設けてなることを特徴とする把手構造。
【発明の詳細な説明】
【０００１】
【発明の属する技術分野】
本発明は例えば鍋、フライパン等の容器体の着脱自在な把手構造に関するものである。
【０００２】
【従来の技術】
従来、この種の把手構造として、例えば、特開平１１−１０４００９号公報に示す如く、容器体の側面に前面板部及び両側面板部により形成されたコ状の嵌合溝部をもつ継合枠部を突設すると共に把手体に嵌合溝部により形成される嵌合穴部に対して下方から挿脱可能な嵌合凸部を設け、かつ、容器体に継合枠部の上方に位置して係合板を水平突設し、把手体に係合板の上面に係止可能な押さえ部材を進退自在に設けてなる構造のものが知られている。
【０００３】
【発明が解決しようとする課題】
しかしながらこの従来構造の場合、把手体の着脱構造として、嵌合凸部と嵌合穴部とを係合すると共に係合板の上面を押さえ部材により押さえることにより容器体に把手体を取り付ける構造のため、構造が複雑化し易いことがあるという不都合を有している。
【０００４】
【課題を解決するための手段】
本発明はこれらの課題を解決することを目的とし、本発明のうちで、請求項１記載の発明は、容器体の側面に前面板部及び両側面板部により形成されたコ状の嵌合溝部をもつ継合枠部を突設すると共に把手体に該嵌合溝部により形成される嵌合穴部に対して下方から挿脱可能な嵌合凸部を設けてなり、上記嵌合凸部の前端面を上記容器体の弧状の側面に合わせて弧状面に形成し、上記嵌合穴部を該容器体の側面と上記嵌合溝部とにより形成し、該嵌合凸部を該容器体の側面と上記嵌合溝部とにより形成される該嵌合穴部に対して下方から挿脱可能に設け、該容器体の側面と上記嵌合溝部とにより形成される該嵌合穴部を上に向かって次第に幅狭となるテーパー状穴に形成すると共に該嵌合凸部を上に向かって次第に幅狭となるブロック板状に形成して、上記嵌合穴部と上記嵌合凸部とを上方に向かって次第に幅狭となるテーパー嵌合可能に設け、上記継合枠部の前面板部に挿通穴を形成し、上記把手体に該挿通穴に挿脱可能な挿脱ピンを進退自在に設け、該挿脱ピンを該挿通穴に挿通させる圧縮バネを含む進退操作機構を設け、該進退操作機構として、上記把手体に上記挿脱ピンを進退摺動自在に突設し、該挿脱ピンと把手体との間に上記圧縮バネを介装し、該把手体に摺動長穴を形成し、該挿脱ピンに該摺動長穴内を摺動可能な案内ピンを植設し、該案内ピンに摘子体を設けてなることを特徴とする把手構造にある。
【０００５】
【発明の実施の形態】
図１乃至図７は本発明の実施の形態例を示し、１は容器体であって、図１、図４、図６の如く、例えば、鍋、フライパン等の容器体１の弧状の側面に前面板部２ａ及び両側面板部２ｂ・２ｂにより形成された平面コ状の嵌合溝部２ｃをもつ継合枠部２をリベット、スポット溶接、ネジ等の固定手段２ｄにより突設している。
【０００６】
３は把手体であって、相互に一体に接合される合成樹脂製の分割半体３ａ・３ａ及び金属製の上向鉤状の係合体３ｂをネジ３ｈにより一体に止着してなり、係合体３ｂに逃げ穴３ｃ・３ｆを形成すると共に係合体３ｂの前端面を容器体１の側面に合わせて弧状面３ｄに形成し、把手体３の係合体３ｂの先端部に上記嵌合溝部２ｃと容器体１の側面とにより形成される嵌合穴部Ｍに対して下方から挿脱可能な嵌合凸部Ｋを設けてなり、継合枠部２の前面板部２ａに挿通穴４を形成し、一方、把手体３に挿通穴４に挿脱可能な挿脱ピン５を進退自在に設け、挿脱ピン５を挿通穴４に挿通させる圧縮バネ６ａを含む進退操作機構６を設けて構成している。
【０００７】
この場合、上記嵌合穴部Ｍと上記嵌合凸部Ｋとは上方に向かって次第に幅狭となるテーパー嵌合可能に設けられ、即ち、嵌合溝部２ｃと容器体１の側面とにより形成される嵌合穴部Ｍを上に向かって次第に幅狭となるテーパー状穴に形成すると共に嵌合凸部Ｋを上に向かって次第に幅狭となるブロック板状に形成して構成している。
【０００８】
又、この場合、上記進退操作機構６として、把手体３に上記挿脱ピン５を摺動穴３ｇにより逃げ穴３ｃ・３ｆを介して進退摺動自在に突設し、挿脱ピン５と把手体３との間に上記圧縮バネ６ａを介装し、把手体３に摺動長穴３ｅを形成し、挿脱ピン５に摺動長穴３ｅ内を摺動可能な案内ピン６ｂを植設し、案内ピン６ｂに摘子体６ｃを設けて構成している。
【０００９】
この実施の形態例は上記構成であるから、進退操作機構６の摘子体６ｃを指で手前側に引き戻した状態において、容器体１の側面に突設された継合枠部２により形成されている嵌合穴部Ｍに把手体３の係合体３ｂに形成された嵌合凸部Ｋを嵌合穴部Ｍに対して下方から挿入し、挿入後に摘子体６ｃを釈放すると、挿脱ピン５は圧縮バネ６ａにより継合枠部２の前面板部２ａの挿通穴４に挿通され、これにより、図３の如く、把手体３を容器体１に取り付けることができ、又、図７の如く、進退操作機構６の摘子体６ｃを指で手前側に引き戻し、挿脱ピン５を挿通穴４から抜き取り、容器体１の側面に突設された継合枠部２により形成されている嵌合穴部Ｍに把手体３の係合体３ｂに形成された嵌合凸部Ｋを嵌合穴部Ｍに対して下方に向けて抜き取ることにより把手体３を容器体１から取り外すことができ、したがって、容器体１と把手体３とを容易に着脱することができ、挿脱ピン５と挿通穴４により確実に着脱することができると共に着脱構造を簡素化することができる。
【００１０】
又、この場合、上記嵌合穴部Ｍと上記嵌合凸部Ｋとは上方に向かって次第に幅狭となるテーパー嵌合可能に設けられているから、容器体１と把手体３とを密着嵌合することができ、把手体３の取付のがたつきを抑制することができ、又、この場合、上記進退操作機構６として、上記把手体３に上記挿脱ピン５を進退摺動自在に突設し、挿脱ピン５と把手体３との間に上記圧縮バネ６ａを介装し、把手体３に摺動長穴３ｅを形成し、挿脱ピン５にす摺動長穴３ｅ内を摺動可能な案内ピン６ｂを植設し、案内ピン６ｂに摘子体６ｃを設けてなるから、容器体１と把手体３との着脱構造を一層簡素化することができると共に摘子体６ｃにより着脱操作を容易に行うことができる。
【００１１】
尚、本発明は上記実施の形態例に限られるものではなく、例えば、容器体１、係合枠部２、把手体３の形状や大きさ、材質、進退操作機構６の構造等は適宜設計して変更されるものである。
【００１２】
【発明の効果】
本発明は上述の如く、請求項１記載の発明にあっては、容器体の側面に突設された継合枠部により形成されている嵌合穴部に把手体の係合体に形成された嵌合凸部を嵌合穴部に対して下方から挿入し、進退操作機構により挿脱ピン挿通穴に挿通することにより把手体を容器体に取り付けることができ、又、挿脱ピンを挿通穴から抜き取り、容器体の側面に突設された継合枠部により形成されている嵌合穴部に把手体の係合体に形成された嵌合凸部を嵌合穴部に対して下方に向けて抜き取ることにより把手体を容器体から取り外すことができ、したがって、容器体と把手体とを容易に着脱することができ、挿脱ピンと挿通穴により確実に着脱することができると共に着脱構造を簡素化することができ、かつ、上記嵌合穴部と上記嵌合凸部とは上方に向かって次第に幅狭となるテーパー嵌合可能に設けられているから、容器体と把手体とを密着嵌合することができ、把手体の取付のがたつきを抑制することができ、更に、上記進退操作機構として、上記把手体に上記挿脱ピンを進退摺動自在に突設し、挿脱ピンと把手体との間に上記圧縮バネを介装し、把手体に摺動長穴を形成し、挿脱ピンに摺動長穴内を摺動可能な案内ピンを植設し、案内ピンに摘子体を設けてなるから、容器体と把手体との着脱構造を一層簡素化することができると共に摘子体により着脱操作を容易に行うことができる。
【００１３】
以上の如く、所期の目的を充分達成することができる。
【図面の簡単な説明】
【図１】  本発明の実施の形態例の全体側面図である。
【図２】  本発明の実施の形態例の全体平面図である。
【図３】  本発明の実施の形態例の部分側断面図である。
【図４】  本発明の実施の形態例の部分平断面図である。
【図５】  本発明の実施の形態例の部分横断面図である。
【図６】  本発明の実施の形態例の部分斜視図である。
【図７】  本発明の実施の形態例の部分斜視図である。
【図８】  本発明の実施の形態例の部分側断面図である。
【符号の説明】
Ｍ  嵌合穴部
Ｋ  嵌合凸部
１  容器体
２  継合枠部
２ａ  前面板部
２ｂ  両側面板部
２ｃ  嵌合溝部
３  把手体
３ｄ  弧状面
３ｅ  摺動長穴
４  挿通穴
５  挿脱ピン
６  進退操作機構
６ａ  圧縮バネ
６ｂ  案内ピン
６ｃ  摘子体
【図１】
0003769669.tif 000002
【図２】
0003769669.tif 000003
【図３】
0003769669.tif 000004
【図４】
0003769669.tif 000005
【図５】
0003769669.tif 000006
【図６】
0003769669.tif 000007
【図７】
0003769669.tif 000008
【図８】
0003769669.tif 000009